(57)【要約】【課題】警報に至るまでの段階で、複数のガス検出状態、流量に応じてガスの遮断を行うことを目的とする。【解決手段】ガスを検出する検出手段９と複数の検出閾値を備えるとともに検出レベルがそれぞれの閾値以上あるいは閾値未満になるとレベルに応じた信号を出力する検出信号送信手段を備えた複数の警報器７と、ガスの供給や遮断を行う遮断手段３と、警報器７からの信号を入力する検出信号受信手段５と、検出信号受信手段５からの出力信号を処理する制御手段２と、流量を検出する流量検出手段４を備えるとともに、制御手段２は、複数の警報器７からの出力信号がそれぞれ遮断信号でない場合でも、複数の警報器７からの検出レベルの組み合わせに応じて、遮断手段３に信号を出力しガスを遮断するようにしたものである。【選択図】図１
2008234540.tif 000002
【特許請求の範囲】
【請求項１】
ガスを検出する検出手段と複数の検出閾値を備えるとともに検出レベルがそれぞれの閾値以上あるいは閾値未満になるとレベルに応じた信号を出力する検出信号送信手段を備えた複数の警報器と、ガスの供給や遮断を行う遮断手段と、前記警報器からの信号を入力する検出信号受信手段と、前記検出信号受信手段からの出力信号を処理する制御手段と、流量を検出する流量検出手段を備えるとともに、前記制御手段は、複数の前記警報器からの出力信号がそれぞれ遮断信号でない場合でも、複数の前記警報器からの検出レベルの組み合わせに応じて、前記遮断手段に信号を出力しガスを遮断することを特徴とする、ガス遮断装置。
【請求項２】
制御手段は、複数の前記警報器からの検出レベルの組み合わせに応じてガスを遮断しない場合でも、前記流量検出手段により検出した流量が所定値以上の場合には、前記遮断手段に信号を出力しガスを遮断することを特徴とする、ガス遮断装置。
【請求項３】
請求項１から請求項２のいずれか１項に記載の換気扇連動ガス遮断装置の全てもしくは一部として、コンピュータを機能させるプログラム。
【発明の詳細な説明】
【技術分野】
【０００１】
本発明は、警報器の検出レベルに応じてガス遮断を行うガス遮断装置に関するものである。
【背景技術】
【０００２】
従来、この種のガス遮断装置は、警報器からの警報出力があると、ガスを遮断するようにしている（例えば特許文献１参照）。
【０００３】
図６に示すように、ガスを検出したときに警報を行う警報器７と、ガス遮断装置１から構成されている。なお、図中６は警報器制御手段、８はガス濃度が警報レベルに達した場合にガス遮断装置へ信号を送信する検出信号送信手段、９はガスを検知する検知手段、１０は警報を出力する警報出力手段である。
【特許文献１】特開平６−１３９４８６号公報
【発明の開示】
【発明が解決しようとする課題】
【０００４】
しかしながら、前記従来例の構成では、警報器が複数設置してあっても、そのいずれか１つの警報器から警報信号が出力されるまではガスを遮断しないようになっているため、複数箇所で同時にガスの濃度が上がっていくような重大な問題が発生した場合に危険な状態になることもあるという課題を有していた。
【０００５】
本発明は、前記従来の課題を解決するもので、複数の検出閾値を有する複数の警報器を用いてそれぞれの検出レベルに応じて、警報に至るまでの段階であっても遮断手段に信号を出力しガスを遮断したり、遮断までも至らなくても、流量検出手段からの出力信号により、大流量の場合には遮断手段に信号を出力しガスを遮断する構成としたガス遮断装置を提供することを目的とする。
【課題を解決するための手段】
【０００６】
前記従来の課題を解決するために、本発明の遮断装置は、ガスを検出する検出手段と複数の検出閾値を備えるとともに検出レベルがそれぞれの閾値以上あるいは閾値未満になるとレベルに応じた信号を出力する検出信号送信手段を備えた複数の警報器と、ガスの供給や遮断を行う遮断手段と、警報器からの信号を入力する検出信号受信手段と、検出信号受信手段からの出力信号を処理する制御手段と、流量を検出する流量検出手段を備えるとともに、制御手段は、複数の前記警報器からの出力信号がそれぞれ遮断信号でない場合でも、複数の前記警報器からの検出レベルの組み合わせに応じて、遮断手段に信号を出力しガスを遮断するとともに、複数の警報器からの検出レベルの組み合わせに応じてガスを遮断しない場合でも、流量検出手段により検出した流量が所定値以上の場合には、遮断手段に信号を出力しガスを遮断する構成としたものである。
【０００７】
これによって、警報レベルに至る前であっても、ガスを遮断することができ、流量を検出して大流量の場合にはさらに早い段階で遮断することにより安全性を高めることができる。
【発明の効果】
【０００８】
本発明のガス遮断装置は、複数の警報器からの検出レベルの組み合わせに応じてガス遮断を判断するようにしたもので、警報レベルに至るまでの低濃度の状態でも複数箇所で同時にガスの濃度が上がっていくような重大な問題が発生した場合には、ガスを遮断し安全
性を高めることができる。
【発明を実施するための最良の形態】
【０００９】
第１の発明は、ガスを検出する検出手段と複数の検出閾値を備えるとともに検出レベルがそれぞれの閾値以上あるいは閾値未満になるとレベルに応じた信号を出力する検出信号送信手段を備えた複数の警報器と、ガスの供給や遮断を行う遮断手段と、前記警報器からの信号を入力する検出信号受信手段と、前記検出信号受信手段からの出力信号を処理する制御手段と、流量を検出する流量検出手段を備えるとともに、前記制御手段は、複数の前記警報器からの出力信号がそれぞれ遮断信号でない場合でも、複数の前記警報器からの検出レベルの組み合わせに応じて、前記遮断手段に信号を出力し、ガスを遮断するようにしたことを特徴とするものである。
【００１０】
これにより、警報レベルに至るまでの低濃度の状態でも複数箇所で同時にガスの濃度が上がっていくような重大な問題が発生した場合には、ガスを遮断し安全性を高めることができる。
【００１１】
第２の発明は、特に、第１の発明の制御手段を、複数の前記警報器からの検出レベルの組み合わせに応じてガスを遮断しない場合でも、前記流量検出手段により検出した流量が所定値以上の場合には、前記遮断手段に信号を出力しガスを遮断するようにしたことを特徴とするものである。
【００１２】
これにより、警報レベルに至るまでの低濃度の状態でも、流量を検出して大流量の場合にはさらに早い段階でガスを遮断して安全性を高めることができる。
【００１３】
第３の発明は、第１から第１のいずれか１つの発明に記載のガス遮断装置の全てもしくは一部として、コンピュータを機能させるプログラムである。
【００１４】
そして、プログラムであるので汎用コンピュータやサーバーを用いて本発明のプログラムの少なくとも一部を容易に実現できる。また記録媒体に記録したり通信回線を用いてプログラムを配信したりすることでプログラムの配布やインストール作業が簡単にできる。
【００１５】
本発明は、第１の発明から第２の発明の要部を実施の形態とすることにより本発明の目的を達成できるので、各請求項に対応する実施の形態の詳細を、以下に図面を参照しながら説明し、本発明を実施するための最良の形態の説明とする。なお、本実施の形態によって本発明が限定されるものではない。また、各実施の形態の説明において、同一構成並びに同一作用効果を奏するところには、同一符号を付して重複した説明を行わないものとする。
【００１６】
（実施の形態１）
図１は、本発明の実施の形態１におけるガス遮断装置のブロック図で、図２は同ガス遮断装置の検知レベル遮断選択図で、図３は同ガス遮断装置の動作を示すフローチャートである。
【００１７】
図１において、ガス遮断装置１の検出信号受信手段５は警報器７から出力を受信し、その内容を制御手段２へ出力する。流量検出手段４はガスの流量を検出し制御手段２へ出力する。マイクロコンピュータおよびその周辺回路からなる制御手段２は、図３に示すステップ（以下、Ｓと表示する）１からＳ９の制御フローを実行するプログラムを格納し、ガスの供給や遮断を行う遮断手段３を制御し、流量検出手段４からの入力により流量を算出したりする。また、７は警報器で、ガスを検出する検出手段９からの出力により警報器制御手段６は、検出したレベルに応じた信号を検出信号送信手段８に出力しガス遮断装置１
へ送信し、検出手段９が検出したレベルが警報レベル以上の場合には、警報出力手段１０へ出力し報知等を行う。図２は、制御手段２が、警報器７から検出信号受信手段５が受信したレベルに応じて遮断信号を遮断手段３に出力するためのものである。
【００１８】
図３において、制御手段２は、複数の警報器（以下、警報器Ｉ、警報器IIと表示する）のうち、警報器Ｉからの受信があったかどうか判定し（Ｓ１）、受信がなかった場合はＳ６へ進み、受信があった場合には、検出信号受信手段５が受信したレベルが遮断レベルかどうか判定し（Ｓ２）、受信レベルが遮断レベルの場合はＳ５へ進む。Ｓ３では検出信号受信手段５が受信したレベルがレベルＢかどうか判定し、受信したレベルがレベルＢであった場合は、警報器IIからレベルＢを受信済かどうか判定し（Ｓ４）、受信済みの場合はＳ５へ進む。Ｓ５では遮断手段３へ遮断信号を出力し、ガスを遮断する。Ｓ６では警報器Ｉからの受信があったかどうか判定し、受信があった場合は、検出信号受信手段５が受信したレベルが遮断レベルかどうか判定し（Ｓ７）、受信レベルが遮断レベルの場合はＳ５へ進む。Ｓ８では検出信号受信手段５が受信したレベルがレベルＢかどうか判定し、受信したレベルがレベルＢであった場合は、警報器ＩからレベルＢを受信済かどうか判定し（Ｓ９）、受信済みの場合はＳ５へ進み、遮断手段３へ遮断信号を出力し、ガスを遮断する。
【００１９】
以上のように、本実施の形態においては、警報レベルに至るまでの低濃度の状態でも複数箇所で同時にガスの濃度が上がっていくような重大な問題が発生した場合には、ガスを遮断し安全性を高めることができる。
【００２０】
（実施の形態２）
図４は、本発明の実施の形態２におけるガス遮断装置の検知レベル遮断選択図で、図５は同ガス遮断装置の動作を示すフローチャートである。本実施の形態は、実施の形態１における図１に示す制御手段２とプログラムのみが異なるだけで、ガス遮断装置のブロック図は図１と同一である。すなわち、制御手段２は図５に示すＳ１０からＳ２４の制御フローを実行するプログラムを格納したものである。
【００２１】
図４は、制御手段２が、警報器７から検出信号受信手段５が受信したレベルおよび、流量検出手段４が検出した流量に応じて遮断信号を遮断手段３に出力するためのものである。
【００２２】
図５において、制御手段２は、警報器Ｉからの受信があったかどうか判定し（Ｓ１０）、受信がなかった場合はＳ１８へ進み、受信があった場合には、検出信号受信手段５が受信したレベルが遮断レベルかどうか判定し（Ｓ１１）、受信レベルが遮断レベルの場合はＳ１５へ進む。Ｓ１２では流量検出手段４が検出した流量が所定値以上であるかどうか判定し、所定値以上であった場合はＳ１６へ進む。流量が所定値以上でなかった場合は、検出信号受信手段５が受信したレベルがレベルＢかどうか判定し（Ｓ１３）、受信したレベルがレベルＢであった場合は、警報器IIからレベルＢを受信済かどうか判定し（Ｓ１４）、受信済みの場合はＳ１５へ進む。Ｓ１５では遮断手段３へ遮断信号を出力し、ガスを遮断する。Ｓ１６では検出信号受信手段５が受信したレベルがレベルＡかどうか判定し、受信したレベルがレベルＡであった場合は、Ｓ１４へ進み、レベルＡでない場合、すなわちレベルＢの場合は、警報器IIからレベルＡを受信済かどうか判定し（Ｓ１７）、受信済みの場合はＳ１５へ進み、遮断手段３へ遮断信号を出力し、ガスを遮断する。Ｓ１８では警報器IIからの受信があったかどうか判定し、受信があった場合には、検出信号受信手段５が受信したレベルが遮断レベルかどうか判定し（Ｓ１９）、受信レベルが遮断レベルの場合はＳ１５へ進む。Ｓ２０では流量検出手段４が検出した流量が所定値以上であるかどうか判定し、所定値以上であった場合はＳ２３へ進む。流量が所定値以上でなかった場合は、検出信号受信手段５が受信したレベルがレベルＢかどうか判定し（Ｓ２１）、受信した
レベルがレベルＢであった場合は、警報器ＩからレベルＢを受信済かどうか判定し（Ｓ２２）、受信済みの場合はＳ１５へ進む。Ｓ２３では検出信号受信手段５が受信したレベルがレベルＡかどうか判定し、受信したレベルがレベルＡであった場合は、Ｓ２２へ進み、レベルＡでない場合、すなわちレベルＢの場合は、警報器ＩからレベルＡを受信済かどうか判定し（Ｓ２４）、受信済みの場合はＳ１５へ進み、遮断手段３へ遮断信号を出力し、ガスを遮断する。
【００２３】
以上のように、本実施の形態においては、警報レベルに至るまでの低濃度の状態でも、流量を検出して大流量の場合にはさらに早い段階でガスを遮断して安全性を高めることができる。
【００２４】
なお、上記各実施の形態においては制御手段に格納してあるプログラムでマイクロコンピュータを機能させて制御フローを実行しているが、プログラムに代えハードを以って実行することも可能である。また、ガス遮断装置、警報器の各信号の伝達方式として、有線方式、無線方式、あるいは有線及び無線方式の組み合わせのいずれにおいても適用できる。
【産業上の利用可能性】
【００２５】
以上のように、本発明にかかる換気扇連動ガス遮断装置は、ガス遮断装置、警報器の各信号の伝達により実現できることから、各信号を中継箇所に集中し制御する方式にも適用できる。
【図面の簡単な説明】
【００２６】
【図１】本発明の実施の形態１〜２におけるガス遮断装置のブロック図
【図２】本発明の実施の形態１におけるガス遮断装置の検知レベル遮断選択図
【図３】本発明の実施の形態１におけるガス遮断装置の動作を示すフローチャート
【図４】本発明の実施の形態２におけるガス遮断装置の検知レベル遮断選択図
【図５】本発明の実施の形態２におけるガス遮断装置の動作を示すフローチャート
【図６】従来の換気扇連動ガス遮断装置のブロック図
【符号の説明】
【００２７】
１  ガス遮断装置
２  制御手段
３  遮断手段
４  流量検出手段
５  検出信号受信手段
６  警報器制御手段
７  警報器
８  検出信号送信手段
９  検出手段
１０  警報出力手段
【図１】
2008234540.tif 000003
【図２】
2008234540.tif 000004
【図３】
2008234540.tif 000005
【図４】
2008234540.tif 000006
【図５】
2008234540.tif 000007
【図６】
2008234540.tif 000008